(57)【要約】      （修正有）【課題】メインハウジングの前部を覆うカバーが、メインハウジングから脱落するおそれを低減できる手持ち式電動工具を提供する。【解決手段】前後に延びるメインハウジング１１と該メインハウジング１１の下部に接続されて下方に延びるハンドルハウジング１２とを備えるハウジングと、メインハウジング１１の前端部から突出する出力軸と、メインハウジング１１の前部を覆うカバー４０と、を備える手持ち式電動工具において、ハウジングには前方に向かって開口する凹部１８が形成されるとともに、カバー４０には凹部１８に前方から挿嵌可能な凸部４４が形成されており、メインハウジング１１の前部にカバー４０を前方から被嵌させることで、凸部４４が凹部１８に対して挿嵌状態となり、該挿嵌状態において、凸部４４を凹部１８にカバー固定ネジ５１Ａによって固定することで、ハウジングにカバー４０が固定される。【選択図】図４
2019022922.tif 000002
【特許請求の範囲】
【請求項１】
駆動源となるモータと、
前後に延びるメインハウジングと該メインハウジングの下部に接続されて下方に延びるハンドルハウジングとを備えるハウジングと、
前記メインハウジングに収容される駆動伝達部と、
前記メインハウジングの前端部から突出する出力軸と、
前記メインハウジングの前部を覆うカバーと、を備える手持ち式電動工具において、
前記ハウジングには前方に向かって開口する凹部が形成されるとともに、前記カバーには前記凹部に前方から挿嵌可能な凸部が形成されており、
前記メインハウジングの前部に前記カバーを前方から被嵌させることで、前記凸部が前記凹部に対して挿嵌状態となり、
該挿嵌状態において、前記凸部を前記凹部にネジによって固定することで、前記ハウジングに前記カバーが固定されることを特徴とする手持ち式電動工具。
【請求項２】
前記凹部は、前記ハンドルハウジングの前記メインハウジングとの接続部に形成されていることを特徴とする請求項１に記載の手持ち式電動工具。
【請求項３】
前記ハウジングの少なくとも一部は、右ハウジングと左ハウジングとからなる左右半割り構造として構成されており、
前記凹部は、前記右ハウジングと前記左ハウジングとの接合部に形成されていることを特徴とする請求項１又は２に記載の手持ち式電動工具。
【請求項４】
前記ネジは、前記右ハウジングと前記左ハウジングとを連結する連結ネジとしても機能することを特徴とする請求項３に記載の手持ち式電動工具。
【発明の詳細な説明】
【技術分野】
【０００１】
本発明は、モータを駆動源とする手持ち式電動工具に関する。
【背景技術】
【０００２】
従来から、例えばインパクトドライバと称される手持ち式電動工具が知られている。この種の手持ち式電動工具では、ハウジングは、前後に延びる筒状のメインハウジングと、メインハウジングから下方に延びるハンドルハウジングとを備えている。メインハウジングには駆動源としてのモータや駆動伝達機構が収容されており、モータの駆動力が駆動伝達機構を介して出力軸に伝達される。出力軸の前部は、メインハウジングの前端部から前方へ突出しており、この突出箇所にビット等の先端工具が着脱自在に装着される。
【０００３】
このような手持ち式電動工具においては、運転に伴って温度上昇したメインハウジングを把持したときの不快感の防止や美観の向上等のために、メインハウジングの前部をカバーで覆うように構成する場合がある。例えば、下記特許文献１においては、メインハウジング（ケース）の前部をカバーで覆うとともに、該カバーの前端開口からメインハウジングの前端部を突出させ、この突出した前端部に弾性ゴムからなるストッパーを係合させることによって、カバーがメインハウジングから脱落することを防止している。
【先行技術文献】
【特許文献】
【０００４】
【特許文献１】特開２００９−２２０２７２号公報
【発明の概要】
【発明が解決しようとする課題】
【０００５】
ところが、特許文献１に開示されるような従来の手持ち式電動工具においては、弾性ゴムの弾性復元力によってストッパーがメインハウジングに係合しているため、偶発的に係合が解除されて、ストッパーとともにカバーがメインハウジングから脱落するおそれがあった。
【０００６】
本発明は、上述した課題の存在に鑑みてなされたものであって、その目的は、カバーがメインハウジングから脱落するおそれを低減できる手持ち式電動工具を提供することである。
【課題を解決するための手段】
【０００７】
本発明に係る手持ち式電動工具は、駆動源となるモータと、前後に延びるメインハウジングと該メインハウジングの下部に接続されて下方に延びるハンドルハウジングとを備えるハウジングと、前記メインハウジングに収容される駆動伝達部と、前記メインハウジングの前端部から突出する出力軸と、前記メインハウジングの前部を覆うカバーと、を備える手持ち式電動工具であって、前記ハウジングには前方に向かって開口する凹部が形成されるとともに、前記カバーには前記凹部に前方から挿嵌可能な凸部が形成されており、前記メインハウジングの前部に前記カバーを前方から被嵌させることで、前記凸部が前記凹部に対して挿嵌状態となり、該挿嵌状態において、前記凸部を前記凹部にネジによって固定することで、前記ハウジングに前記カバーが固定されることを特徴とする。
【０００８】
本発明に係る手持ち式電動工具においては、前記凹部は、前記ハンドルハウジングの前記メインハウジングとの接続部に形成されている構成とすることができる。
【０００９】
また、本発明に係る手持ち式電動工具においては、前記ハウジングの少なくとも一部は、右ハウジングと左ハウジングとからなる左右半割り構造として構成されており、前記凹部は、前記右ハウジングと前記左ハウジングとの接合部に形成されている構成とすることができる。
【００１０】
さらに、本発明に係る手持ち式電動工具においては、前記ネジは、前記右ハウジングと前記左ハウジングとを連結する連結ネジとしても機能させることができる。
【発明の効果】
【００１１】
本発明によれば、カバーがメインハウジングから脱落するおそれを低減することができる手持ち式電動工具を提供することができる。
【図面の簡単な説明】
【００１２】
【図１】本発明の一実施形態に係る手持ち式電動工具の左側面図である。
【図２】同手持ち式電動工具の正面図である。
【図３】図２におけるＢ−Ｂ断面図である。
【図４】図３の要部拡大図である。
【図５】図１におけるＡ−Ａ断面図である。
【図６】同手持ち式電動工具が備えるカバーを示す図であって、（ａ）は前方から見た斜視図、（ｂ）は左側面図である。
【発明を実施するための形態】
【００１３】
以下、本発明を実施するための実施形態について、図１〜図６を用いて説明する。なお、以下の実施形態では、本発明を手持ち式電動工具であるインパクトドライバに適用する場合を例示して説明する。また、以下の実施形態は、各請求項に係る発明を限定するものではなく、また、実施形態の中で説明されている特徴の組み合わせの全てが発明の解決手段に必須であるとは限らない。
【００１４】
本実施形態に係る手持ち式電動工具であるインパクトドライバ１は、樹脂からなるハウジング１０と、ハウジング１０の前端部から突出する出力軸２１とを備えて構成されている。出力軸２１にはビット等の先端工具（不図示）を装着することができる。ハウジング１０は、前後に延びるメインハウジング１１と、メインハウジング１１の前後方向中間部の下部に接続されて下方に延びるハンドルハウジング１２とを備えている。出力軸２１は、より具体的には、メインハウジング１１の前端部から突出している。ハンドルハウジング１２の下端部には駆動電源となる電池パックを装着するための電池パック装着部１９を備えている。なお、本実施形態の手持ち式電動工具は、電池パック装着部１９を備えて電池パックを電源とする構成であるが、電源コードを備えて商用電源を電源とする構成の手持ち式電動工具とすることもできる。
【００１５】
メインハウジング１１の内部には、駆動源となるモータ２２と、モータ２２の駆動力を出力軸２１へ伝達するための駆動伝達機構３０が収容されている。モータ２２は回転軸線を前後方向としてメインハウジング１１の後側に収容され、駆動伝達機構３０はメインハウジング１１の前側に収容されている。駆動伝達機構３０は、モータ２２の回転を減速するための遊星歯車機構３１と、減速されたモータ２２の回転出力を回転方向への打撃力に変換して出力軸２１へ伝達することができる打撃機構３２とを備えている。なお、駆動伝達機構３０は従来公知のものであるので、詳細な説明は省略する。
【００１６】
ハンドルハウジング１２の上部前側には、インパクトドライバ１を運転操作するためのトリガースイッチ２３が前方に突出して配置されている。トリガースイッチ２３は、ハンドルハウジング１２に対して出退可能に構成されており、ハンドルハウジング１２を把持する手の指で内方に向かって押し込み操作することでインパクトドライバ１が運転を開始するように構成されている。ハンドルハウジング１２のトリガースイッチ２３より上側は、メインハウジング１１の前後方向中間部の下部に接続する接続部１３となる。接続部１３の前後方向中央部には、出力軸２１の回転方向を正転方向と逆転方向とに切り換えるための正逆切換レバー１４が、接続部１３の左右両側面から外方へ突出して配置されている。接続部１３の前端部内側には、前方を照射するための照明具１５が設置されている。なお、接続部１３の前端は、メインハウジング１１の前端より後方に位置している。
【００１７】
メインハウジング１１の前部は、外面が前端部に向かって縮径していくように形成されており、前方から被嵌されるカバー４０によって覆われている。カバー４０は、樹脂からなり、メインハウジング１１の前部外面の外郭形状に沿った内面形状を有して形成されている筒状部４１と、筒状部４１の前端に形成される円形の前端開口４２と、筒状部４１の後端に形成される円形の後端開口４３と、筒状部４１の後端下部から後方および下方に突出する凸部４４とを有して一体的に形成されている。凸部４４は、左右方向側面視で前後に長い矩形形状に形成されており、その後部寄りには左右方向に貫通する円形の貫通孔４５が形成されている。また、凸部４４は、前後方向断面視では上下に長い矩形形状に形成されている。カバー４０は、メインハウジング１１の前部に被嵌された状態で、前端開口４２の前端面がメインハウジング１１の前端面と前後方向位置がほぼ一致しており、凸部４４の前端面が接続部１３の前端面と前後方向位置がほぼ一致している。なお、後端開口４３の後端面はメインハウジング１１の拡径段差面１６と対峙している。
【００１８】
ハンドルハウジング１２の接続部１３には、前方に向かって開口する挿入開口１８ｃを有する凹部１８が後方に延びて形成されている。凹部１８は、照明具１５の上側であって、メインハウジング１１の直下に位置している。なお、凹部１８は、ハウジング１０の内部空間と連通している。凹部１８は、カバー４０がメインハウジング１１の前部に対して前方から被嵌されるときに、凸部４４が挿嵌されるように形成されている。凹部１８に凸部４４が挿嵌された状態で、凹部１８を左右方向に貫通するカバー固定ネジ５１Ａが、凸部４４が有する貫通孔４５も挿通して締付けられることで、凸部４４が凹部１８に固定される。具体的には、カバー固定ネジ５１Ａの締付けによって、凸部４４が凹部１８の左右内壁間で挟持されるとともに、貫通孔４５をカバー固定ネジ５１Ａが挿通していることで、カバー固定ネジ５１Ａの締付けが緩んで挟持力が低下した場合でも、カバー４０がハウジング１０から外れることがないように構成されて固定されている。このカバー固定ネジ５１Ａが本願発明のネジに相当する。
【００１９】
カバー固定ネジ５１Ａは、後述するように、ハウジング同士を連結する連結ネジとしての機能も備えている。
【００２０】
本実施形態においては、ハウジング１０は、右ハウジング１０ａと左ハウジング１０ｂとからなる左右半割り構造として構成されている。すなわち、右ハウジング１０ａは、右メインハウジング１１ａと右ハンドルハウジング１２ａとを有し、左ハウジング１０ｂは、左メインハウジング１１ｂと左ハンドルハウジング１２ｂとを有して構成されている。右ハウジング１０ａと左ハウジング１０ｂとは、左右方向中央部が接合部１０ｃとなるように形成されている。接合部１０ｃの一部には、内部の潤滑剤が外部へ漏れ出すことや外部から水等が内部へ進入することを防止するために凹凸接合が採用されている。右ハウジング１０ａと左ハウジング１０ｂとは軸線を左右方向とする複数の連結ネジ５１によって連結されている。具体的には、複数の連結ネジ５１が右ハウジング１０ａの形成された孔１０ｄにそれぞれ右側から挿通されて左ハウジング１０ｂのネジ穴１０ｅに螺入することで右ハウジング１０ａと左ハウジング１０ｂとが連結される。複数の連結ネジ５１の中のひとつが、上述したカバー固定ネジ５１Ａを兼ねている。なお、本実施形態においては、ハウジング１０全体を左右半割り構造としているが、メインハウジング１１の前側を左右半割り構造ではない筒状のハウジングとして金属等で別体に構成することもできる。
【００２１】
ハンドルハウジング１２の接続部１３に形成される凹部１８は、右ハウジング１０ａと左ハウジング１０ｂとの接合部１０ｃに形成されている。したがって、凹部１８は、ハウジング１０の左右方向中央部に位置している。具体的には、凹部１８は、右ハンドルハウジング１２ａと左ハンドルハウジング１２ｂとの接合部１０ｃに形成されており、右ハンドルハウジング１２ａによって凹部１８の右内壁１８ａが構成され、左ハンドルハウジング１２ｂによって凹部１８の左内壁１８ｂが構成されている。すなわち、右内壁１８ａと左内壁１８ｂとは、上述した凸部４４を挟持する左右内壁に該当する。
【００２２】
なお、本実施形態においては、カバー４０の内面とメインハウジング１１の外面との間に、シールリング６１が２つ設けられている。シールリング６１は、最も前側に位置する連結ネジ５１Ｂ，５１Ｃの前後両側において、メインハウジング１１の外面に形成された周溝に保持されて配置されている。これは、連結ネジ５１Ｂ，５１Ｃの締付けによって連結ネジ５１Ｂ，５１Ｃの周りの接合部１０ｃが変形して隙間が発生した場合に考えられるグリス漏れに対処するためである。すなわち、発生した隙間から駆動伝達機構３０に塗布されている潤滑剤であるグリスがメインハウジング１１の外面とカバー４０の内面と間に漏れ出した場合でも、漏れ出したグリスを２つのシールリング６１の間に留めておくことができるように構成されている。したがって、インパクトドライバ１の外面にまでグリスが漏れ出すことを防止することができる。
【００２３】
以上のように、本実施形態に係る手持ち式電動工具であるインパクトドライバ１では、カバー４０に形成された凸部４４をハウジング１０に形成された凹部１８に挿嵌し、挿嵌状態で、凸部４４を凹部１８にカバー固定ネジ５１Ａによって固定したことで、カバー４０をハウジング１０に対して確実に固定することができる。したがって、カバー４０がハウジング１０から脱落するおそれを低減できる。
【００２４】
また、凹部１８をハンドルハウジング１２の接続部１３に形成したことから、メインハウジング１１の前端部をカバーから前方に突出させ、この突出箇所を用いてカバーの脱落を防止する構成と比較して、全長を短くすることができる。したがって、装置のコンパクト化が可能となる。
【００２５】
また、凹部１８をハンドルハウジング１２の接続部１３に形成したことで、メインハウジング１１の左右側部や上部に凹部を形成する場合と比較して、すっきりとした外観を容易に得ることができる。
【００２６】
さらに、ハウジング１０を右ハウジング１０ａと左ハウジング１０ｂとからなる左右半割り構造とし、右ハウジング１０ａと左ハウジング１０ｂとの接合部１０ｃに凹部１８を形成したので、ハウジングを製造するための樹脂成形型が複雑になってしまうことを回避できる。したがって、廉価に製造することができる。
【００２７】
また、右ハウジング１０ａと左ハウジング１０ｂとを連結する連結ネジ５１を、カバーを固定するためのカバー固定ネジ５１Ａと兼用したので、部品点数の低減が図れるとともに組立作業性の低下を防止することができる。
【００２８】
以上、本発明の実施形態について説明したが、本発明の技術的範囲は上記実施形態に記載の範囲に限定さない。上記実施形態には、多様な変更又は改良を加えることが可能である。
【００２９】
たとえば、上述の実施形態においては、手持ち式電動工具はインパクトドライバとして構成されていたが、これに限定されない。例えば、ドリルとして構成することもできる。
【００３０】
また、たとえば、上述の実施形態においては、カバー４０は樹脂によって製造されていたが、これに限定されない。例えば、比較的硬度の高いゴムによって製造してもよい。あるいは、樹脂からなるカバー本体の外面をエラストマ等の軟質材で覆った構成のカバーであってもよい。なお、ゴムによって製造した場合や軟質材で覆った構成の場合は、接触による相手部材への傷発生を防止することができる。
【００３１】
また、たとえば、上述の実施形態においては、モータ２２は回転軸線を前後方向としてメインハウジング１１の後側に収容されていたが、これに限定されない。例えば、ハンドルハウジング内にモータ収容領域を形成し、このモータ収容領域に回転軸線を上下方向としてモータを収容してもよい。なお、この場合、モータと駆動伝達機構とは傘歯車等を備える連結部によって連結されることになる。
【符号の説明】
【００３２】
１      ：インパクトドライバ
１０    ：ハウジング
１０ａ  ：右ハウジング
１０ｂ  ：左ハウジング
１０ｃ  ：接合部
１０ｄ  ：孔
１０ｅ  ：ネジ穴
１１    ：メインハウジング
１１ａ  ：右メインハウジング
１１ｂ  ：左メインハウジング
１２    ：ハンドルハウジング
１２ａ  ：右ハンドルハウジング
１２ｂ  ：左ハンドルハウジング
１３    ：接続部
１４    ：正逆切換レバー
１５    ：照明具
１６    ：拡径段差面
１８    ：凹部
１８ａ  ：右内壁
１８ｂ  ：左内壁
１８ｃ  ：挿入開口
１９    ：電池パック装着部
２１    ：出力軸
２２    ：モータ
２３    ：トリガースイッチ
３０    ：駆動伝達機構
３１    ：遊星歯車機構
３２    ：打撃機構
４０    ：カバー
４１    ：筒状部
４２    ：前端開口
４３    ：後端開口
４４    ：凸部
４５    ：貫通孔
５１    ：連結ネジ
５１Ａ  ：カバー固定ネジ
５１Ｂ  ：連結ネジ
５１Ｃ  ：連結ネジ
６１    ：シールリング
【図１】
2019022922.tif 000003
【図２】
2019022922.tif 000004
【図３】
2019022922.tif 000005
【図４】
2019022922.tif 000006
【図５】
2019022922.tif 000007
【図６】
2019022922.tif 000008